(57)【要約】【課題】ＣＤのトラックデータ又はファイルデータの再生中にトラック情報又はファイル情報を読み込む。【解決手段】光ディスク再生装置は、２つの光ピックアップ１３，１４を備える。システムコントローラ２０は、ＣＤ１０がＣＤ−ＤＡかＣＤ−ＲＯＭかを判別する。ＣＤ−ＤＡの場合、システムコントローラ２０は、制御信号Ｃ１７をドライバ１７に供給し、光ピックアップ１４をトラックデータの記録位置に移動させる。トラックデータの再生中に、ホスト制御部４５から、全トラック情報が要求された場合、システムコントローラ２０は、この要求を受けてリードインエリア内をサーチさせる制御信号Ｃ１６をドライバ１６に供給する。ドライバ１６は、光ピックアップ１３をリードインエリア内まで移動させる。これを繰り返し行うことにより、システムコントローラ２０は、トラックデータの再生中に、全トラック情報を読み込む。【選択図】図１
2011008853.tif 000002
【特許請求の範囲】
【請求項１】
再生すべき主データと前記主データに関連する関連情報とが記録された光ディスクから、前記主データを読み取って再生する光ディスク再生装置において、
前記光ディスクから、前記主データを読み取るための第１のピックアップと、
前記光ディスクから、前記関連情報を読み取るための第２のピックアップと、
前記第１のピックアップを用いて前記主データを再生しているときに、前記光ディスクから前記関連情報を読み取るように前記第２のピックアップを制御する制御部と、を備えた、
ことを特徴とする光ディスク再生装置。
【請求項２】
前記制御部は、前記第１のピックアップを用いて第１の主データを再生しているときに、前記光ディスクから、再生中の前記第１の主データとは異なる第２の主データの関連情報を読み取るように前記第２のピックアップを制御する、
ことを特徴とする請求項１に記載の光ディスク再生装置。
【請求項３】
前記光ディスクは、前記関連情報として、文字データが記録されたものであり、
前記制御部は、前記第１のピックアップを用いて前記主データを再生しているときに、前記光ディスクから、再生中の前記主データの前記文字データを読み取るように前記第２のピックアップを制御する、
ことを特徴とする請求項１又は２に記載の光ディスク再生装置。
【請求項４】
前記光ディスクは、前記関連情報として前記主データの記録位置情報が記録されたものであり、
前記制御部は、前記第２のピックアップの読み取り位置を制御して前記光ディスクから前記主データの前記記録位置情報を読み取り、読み取った前記記録位置情報に基づいて前記第１のピックアップの読み取り位置を制御し、前記主データを読み取る、
ことを特徴とする請求項１乃至３のいずれか１項に記載の光ディスク再生装置。
【請求項５】
光ディスクから再生すべき主データを読み取るための第１のピックアップと前記主データに関連する関連情報を読み取るための第２のピックアップとをそれぞれ備えた光ディスク再生装置のデータ再生方法であって、
前記第１のピックアップを用いて前記主データを読み取るステップと、
前記主データを再生しているときに、前記関連情報を読み取るように前記第２のピックアップを制御するステップと、を備えた、
ことを特徴とする光ディスク再生装置のデータ再生方法。
【発明の詳細な説明】
【技術分野】
【０００１】
本発明は、光ディスク再生装置及び光ディスク再生装置のデータ再生方法に関するものである。
【背景技術】
【０００２】
光ディスクには、ＣＤ（Compact Disc-Digital Audio），ＭＤ（Mini Disc〜商標），ＤＶＤ（Digital Versatile Disk），ＭＯ（Magneto Optical disk）、ＢＤ（Blu-ray Disc）、ＨＤＤＶＤ（High-Definition Digital Versatile Disc）等がある。
【０００３】
このうち、音楽データを記録したＣＤとしては、リニアＰＣＭ(Pulse Code Modulation)データが記録されたＣＤ−ＤＡ（Compact Disc-Digital Audio）、ｍｐ３（MPEG Audio Layer-3，MPEG；Moving Picture Experts Group），ｗｍａ（Windows Media Audio，Windows；登録商標），ａａｃ（Advanced Audio Coding、先進的音響符号化）等の圧縮されたデータが記録されたＣＤ−ＲＯＭ（Compact Disc-Read Only Memory）等がある。さらに、ＣＤ−ＤＡには、トラック名等のテキストデータが記録されたＣＤ−ＴＥＸＴがある。
【０００４】
ＣＤ−ＤＡの場合、ＣＤが挿入されると、光ディスク再生装置は、光ディスクに記録されたデータの解析、例えば、総トラック数、ＣＤ−ＴＥＸＴの場合は、トラック名の解析を行い、ディスク解析結果をＲＡＭ（Random Access Memory）に保存する。そして、光ディスク再生装置は、ＲＡＭに保存した情報に基づいて、トラックナンバー、トラック名等、そのトラックに関連する関連情報の表示等を行う。
【０００５】
ＣＤ−ＲＯＭの場合、ＣＤが挿入されると、光ディスク再生装置は、光ディスクに記録されたデータの解析、例えば、フォルダ／ファイル構成、フォルダ／ファイル名等の情報の解析を行い、ディスク解析結果をＲＡＭに保存する。
【０００６】
そして、光ディスク再生装置は、先頭ファイルの再生を行う。尚、圧縮オーディオファイルには、再生ファイルのトラック名、アーティスト名といったタグ情報が含まれているものがあり、タグ情報が含まれていれば、光ディスク再生装置は、同時にタグ情報を解析し、ＲＡＭに保存する。この場合、通常は、再生ファイルのタグ情報のみが解析可能である。
【０００７】
光ディスク再生装置は、フォルダ／ファイル名等、そのファイルの情報表示等を行い、要求があればフォルダ／ファイル構成リスト、および再生ファイルのタグ情報を表示する。
【０００８】
このような光ディスク再生装置として、データ転送レートの高速化を図るため、ピックアップを複数備えたものもある（例えば、特許文献１参照）。
【先行技術文献】
【特許文献】
【０００９】
【特許文献１】特開平０９−２５１７０３号公報
【発明の概要】
【発明が解決しようとする課題】
【００１０】
しかし、ＣＤ−ＴＥＸＴに記録されたデータを再生する場合、再生するトラックに関連する関連情報として、トラック名を表示させるためにはリードイン領域に含まれるトラック名のデータを読み込む必要がある。
【００１１】
しかし、ピックアップが１つの従来の光ディスク再生装置では、トラックデータ再生中にＴＯＣ（Table Of Contents）に記録されたトラック名等のトラック情報を読み込む場合、トラック情報を予め読み込んでおいてＲＡＭに保持しなければならないため、ＲＡＭの容量を増やさなければならない。
【００１２】
また、ピックアップを複数備えた特許文献１に記載の光ディスク再生装置でも、データ転送レートの高速化を図ることを目的として二重化構成となっているため、ピックアップを１つ備えたものと同様、ＲＡＭの容量を増やさなければならない。
【００１３】
また、ＣＤ−ＲＯＭでは、ディスク上に記録されているフォルダ／ファイル数は膨大であり、従来の光ディスク再生装置では 認識可能なフォルダ数やファイル数に制限を設けなければ、ＲＡＭの容量が増えてしまう。
【００１４】
本発明は、このような従来の問題点に鑑みてなされたもので、記憶容量を増やすことなく、再生すべき主データの再生中に関連情報を読み取ることが可能な光ディスク再生装置及び光ディスク再生装置のデータ再生方法を提供することを目的とする。
【課題を解決するための手段】
【００１５】
この目的を達成するため、本発明の第１の観点に係る光ディスク再生装置は、
再生すべき主データと前記主データに関連する関連情報とが記録された光ディスクから、前記主データを読み取って再生する光ディスク再生装置において、
前記光ディスクから、前記主データを読み取るための第１のピックアップと、
前記光ディスクから、前記関連情報を読み取るための第２のピックアップと、
前記第１のピックアップを用いて前記主データを再生しているときに、前記光ディスクから前記関連情報を読み取るように前記第２のピックアップを制御する制御部と、を備えたことを特徴とする。
【００１６】
前記制御部は、前記第１のピックアップを用いて第１の主データを再生しているときに、前記光ディスクから、再生中の前記第１の主データとは異なる第２の主データの関連情報を読み取るように前記第２のピックアップを制御するようにしてもよい。
【００１７】
前記光ディスクは、前記関連情報として、文字データが記録されたものであり、
前記制御部は、前記第１のピックアップを用いて前記主データを再生しているときに、前記光ディスクから、再生中の前記主データの前記文字データを読み取るように前記第２のピックアップを制御するようにしてもよい。
【００１８】
前記光ディスクは、前記関連情報として前記主データの記録位置情報が記録されたものであり、
前記制御部は、前記第２のピックアップの読み取り位置を制御して前記光ディスクから前記主データの前記記録位置情報を読み取り、読み取った前記記録位置情報に基づいて前記第１のピックアップの読み取り位置を制御し、前記主データを読み取るようにしてもよい。
【００１９】
本発明の第２の観点に係る光ディスク再生装置のデータ再生方法は、
光ディスクから再生すべき主データを読み取るための第１のピックアップと前記主データに関連する関連情報を読み取るための第２のピックアップとをそれぞれ備えた光ディスク再生装置のデータ再生方法であって、
前記第１のピックアップを用いて前記主データを読み取るステップと、
前記主データを再生しているときに、前記関連情報を読み取るように前記第２のピックアップを制御するステップと、を備えたことを特徴とする。
【発明の効果】
【００２０】
本発明によれば、記憶容量を増やすことなく、再生すべき主データの再生中に関連情報を読み取ることができる。
【図面の簡単な説明】
【００２１】
【図１】本発明の実施形態に係る光ディスク再生装置の構成を示すブロック図である。
【図２】ＣＤ−ＤＡのリードインエリア、プログラムエリア、リードアウトエリアを示す図である。
【図３】ＣＤ−ＲＯＭのデータ構造を示す図である。
【図４】光ディスク再生装置の動作を示すシーケンス図（１）である。
【図５】光ディスク再生装置の動作を示すシーケンス図（２）である。
【図６】光ディスク再生装置の動作を示すシーケンス図（３）である。
【図７】光ディスク再生装置の動作を示すシーケンス図（４）である。
【図８】光ディスク再生装置の動作を示すシーケンス図（５）である。
【図９】光ディスク再生装置の動作を示すシーケンス図（６）である。
【図１０】光ディスク再生装置の動作を示すシーケンス図（７）である。
【発明を実施するための形態】
【００２２】
以下、本発明の実施形態に係る光ディスク再生装置を図面を参照して説明する。
本実施形態に係る光ディスク再生装置の構成を図１に示す。
本実施形態に係る光ディスク再生装置は、光ディスクに記録された再生すべき主データを再生するものであり、システム部１と、ホスト部２と、によって構成される。
【００２３】
尚、本実施形態では、光ディスクをＣＤ１０として説明する。このＣＤ１０には、前述のように、ＣＤ−ＤＡ、ＣＤ−ＲＯＭ等があり、ＣＤ−ＤＡ、ＣＤ−ＲＯＭは、ともに形状が同じである。
【００２４】
ＣＤ−ＤＡは、トラックデータが主データとして記録されたものである。尚、主データとは、再生すべきデータであり、例えば、ＣＤ１０が音楽ＣＤであれば、主データは、音楽データであり、音楽データがトラックデータとしてトラックに記録されている。このＣＤ−ＤＡは、図２に示すように、内周側からリードインエリア、プログラムエリア、リードアウトエリアが形成されている。
【００２５】
リードインエリアは、ＴＯＣが記録される領域である。ＴＯＣは、トラックデータに関連するトラック情報が記録されたものであり、トラック情報には、トラックデータの記録位置情報も含まれている。
【００２６】
プログラムエリアは、音楽データ等のユーザデータが主データとして記録されるデータ領域である。リードアウトエリアは、データの読み出しを終了させるための領域である。
【００２７】
尚、ＣＤ−ＤＡには、ＣＤ−ＴＥＸＴも含まれる。このＣＤ−ＴＥＸＴは、トラックデータの関連情報として、例えば、タイトル、アーティスト名のような情報をトラック情報に含むものである。
【００２８】
ＣＤ−ＲＯＭは、ファイルデータが主データとして記録されたものである。このＣＤ−ＲＯＭの主データは、例えば、ｍｐ３，ｗｍａ，ａａｃ等の圧縮した音楽データ、あるいは映像データであり、これらの主データがファイルデータとしてＣＤ−ＲＯＭに記録される。また、ＣＤ−ＲＯＭには、ファイルデータの関連情報として、例えば、タイトル、アーティスト名のようなタグ情報も圧縮されて記録される。
【００２９】
ＣＤ−ＲＯＭは、図３に示すように、先頭にシステム領域が設けられ、このシステム領域に続き、ボリューム記述子、ボリューム記述子ターミネータ、パステーブル、ディレクトリが記述され、そして、ファイルデータが記述される。
【００３０】
システム領域はシステム用に予約された領域である。各ボリューム記述子は、ボリュームの属性、ルートディレクトリの位置、パステーブルの位置等の情報を示す。
【００３１】
パステーブル(Path Table)は、ボリューム中の全ディレクトリの情報(ディレクトリ名、位置、親ディレクトリ等）を順に並べたテーブルである。
【００３２】
ディレクトリは、ファイルデータ、サブディレクトリに関する情報を示す。目的のファイルデータを検索するには、ボリューム記述子を探し、このボリューム記述子により、パステーブルのセクタ位置、ディレクトリレコードを参照する。
【００３３】
このボリューム記述子、パステーブル、ディレクトリは、ファイルデータの記録位置を示すファイル情報であり、これらの情報もファイルデータに関連する関連情報に相当する。
【００３４】
図１に示すシステム部１は、このようなＣＤ１０を駆動する駆動機構部であり、ディスク挿入検知部１１と、スピンドルモータ１２と、光ピックアップ（図中、「ＰＵ」と記す。）１３，１４と、信号処理部１５と、ドライバ１６，１７，１８と、ＲＡＭ１９と、システムコントローラ２０と、を備える。
【００３５】
ディスク挿入検知部１１は、ＣＤ１０の挿入を検知するものである。ディスク挿入検知部１１は、ＣＤ１０が挿入されると、その検知信号をシステムコントローラ２０に供給する。
【００３６】
スピンドルモータ１２は、セットされたＣＤ１０を回転させるためのモータである。
【００３７】
光ピックアップ１３，１４は、それぞれ、ＣＤ１０に記録されたトラック情報又はファイル情報、主データを読み取るためのものであり、それぞれ、独立して移動する。
【００３８】
ＣＤ１０がＣＤ−ＤＡの場合、光ピックアップ１３は、ＣＤ−ＤＡのリードインエリアに記録されているトラック情報に基づく光検出信号を出力する。
【００３９】
ＣＤ１０がＣＤ−ＲＯＭの場合、光ピックアップ１３は、ＣＤ−ＲＯＭのファイル情報に基づく光検出信号を出力する。
【００４０】
光ピックアップ１３，１４は、それぞれ、レーザ、レンズ、ビームスプリッタ、アクチュエータ、受光素子等を備える（いずれも図示せず）。
【００４１】
レーザは、レーザ光を発する発光源であり、レンズは、レーザが発したレーザ光をＣＤ１０のディスク面上に集光するためのものである。ビームスプリッタは、レーザが発したレーザ光と、ディスク面から反射した反射光とを分離し、反射光を受光素子側へと導くためのものである。
【００４２】
アクチュエータは、レンズの位置と姿勢とを制御するためのものであり、受光素子は、ビームスプリッタで分離された反射光を受光するものである。受光素子は、受光した反射光を電気信号である光検出信号に変換し、生成した光検出信号を信号処理部１５に出力する。
【００４３】
信号処理部１５は、光ピックアップ１３，１４が出力した光検出信号に基づいて、ＲＦ（Radio Frequency）信号と、ＦＥ（フォーカスエラー）信号と、ＴＥ（トラッキングエラー）信号と、を生成するものである。
【００４４】
ＦＥ信号は、光スポットが合焦した場合の合焦距離と、光ピックアップ１３，１４に備えられた対物レンズ（図示せず）のＣＤ１０の記録面までの距離との誤差を示す信号であり、ＴＥ信号は、ＣＤ１０の記録面において、読み取り中のトラックの中心位置と光スポットの位置との誤差を示す信号である。
【００４５】
ＲＦ信号は、アナログ再生信号であり、ＥＦＭ（Eight to Fourteen Modulation）変調されてＣＤ１０に記録されている。ＥＦＭ変調は、８ビットのデータを１４ビットに拡張して符号化する変調方式である。
【００４６】
信号処理部１５は、ＲＦ信号から同期信号を検出し、各データの区切りを識別して各フレーム内のＥＦＭ変調された信号を復調し、復調した信号を８ビットのデジタルデータに変換する。
【００４７】
信号処理部１５は、ＦＥ信号とＴＥ信号と、変換したデジタルデータと、をシステムコントローラ２０に供給する。
【００４８】
尚、ＣＤ１０がＣＤ−ＤＡの場合、光ピックアップ１３から出力された光検出信号に基づいて信号処理部１５が変換したデジタルデータは、トラックデータの記録位置を示す記録位置情報となる。
【００４９】
ＣＤ１０がＣＤ−ＲＯＭの場合、光ピックアップ１３から出力された光検出信号に基づいて信号処理部１５が変換したデジタルデータは、ファイルデータの記録位置を示す記録位置情報となる。
【００５０】
ドライバ１６，１７は、それぞれ、光ピックアップ１３，１４の径方向位置、ＣＤ１０のディスク面からの位置及び姿勢を制御するものである。ドライバ１６，１７は、システムコントローラ２０から、それぞれ、制御信号Ｃ１６，Ｃ１７が供給され、この制御信号Ｃ１６，Ｃ１７の信号レベルに従って光ピックアップ１３，１４の位置及び姿勢を制御する。
【００５１】
ドライバ１８は、スピンドルモータ１２を回転駆動するものである。ドライバ１８は、システムコントローラ２０から制御信号Ｃ１８が供給され、この制御信号Ｃ１８の信号レベルに従ってスピンドルモータ１２の回転数を制御し、スピンドルモータ１２を回転駆動する。
【００５２】
ＲＡＭ１９は、ＣＤ１０から読み出されたトラック情報、ファイル情報を記憶するためのものである。本実施形態では、光ピックアップ１３，１４を備え、光ピックアップ１４を用いてトラックデータを読み取っているときに、光ピックアップ１３を制御してトラック情報を読み取れるように構成されている。このため、ＲＡＭ１９は、従来のＴＯＣのようにすべてのトラック情報を記憶する必要はなく、必要なトラック情報を記憶するのみでよいため、記憶容量は、比較的小さなものであってもよい。
【００５３】
システムコントローラ２０は、システム部１を制御するものであり、ＣＰＵ（Central Processing Unit）、ＲＯＭ（Read Only Memory）、ＲＡＭ等を備える（図示せず）。
【００５４】
システムコントローラ２０は、スピンドルモータ１２の回転速度を制御するための制御信号Ｃ１８を生成してドライバ１８に供給する。
【００５５】
システムコントローラ２０は、ホスト部２から、再生、再生停止、ＣＤ１０の取り出し等といった操作制御信号が供給されると、この操作制御信号に従って、再生、再生停止、ＣＤ１０の取り出しを行うように各部を制御する。
【００５６】
また、システムコントローラ２０は、信号処理部１５から供給されたＦＥ信号とＴＥ信号とに基づいて、それぞれ、光ピックアップ１３，１４の径方向の読み取り位置、アクチュエータを制御するための制御信号Ｃ１６，Ｃ１７を生成し、生成した制御信号Ｃ１６，Ｃ１７を、それぞれ、ドライバ１６，１７に供給する。
【００５７】
システムコントローラ２０は、ディスク挿入検知部１１から検知信号が供給されると、ホスト部２にディスクローディング完了通知を出力する。
【００５８】
また、システムコントローラ２０は、ディスクローディング完了通知を出力すると、光ピックアップ１３がＣＤ１０のリードインエリア（ＣＤ−ＤＡの場合）、あるいは、リードインエリアに相当するエリア（ＣＤ−ＲＯＭ）内に移動するように制御信号Ｃ１６をドライバ１６に供給する。
【００５９】
そして、システムコントローラ２０は、信号処理部１５が光ピックアップ１３から出力された光検出信号を変換して生成したデジタルデータをトラック情報又はファイル情報として、この情報に基づいてＣＤ１０がＣＤ−ＤＡかＣＤ−ＲＯＭかを判別する。
【００６０】
尚、ＣＤ−ＤＡのリードイン領域内には、サブコードＱと呼ばれる再生制御を行うための情報が存在し、そのサブコードＱには、コントロールビット情報が含まれている。ＣＤ１０がＣＤ−ＤＡなのかＣＤ−ＲＯＭなのかは、このコントロールビット情報に基づいて判別される。
【００６１】
あるいは、ＴＯＣのデータ及びコントロールビット情報に基づいて全トラックフォーマットを調べることによりＣＤ１０がＣＤ−ＤＡなのかＣＤ−ＲＯＭなのかを判別できる。ＣＤ１０にＤＡトラックのみ存在していれば、ＣＤ−ＤＡディスク、ＲＯＭトラックのみ存在していれば、ＣＤ−ＲＯＭディスクとなる。
【００６２】
ＣＤ１０がＣＤ−ＤＡの場合に、ホスト部２から再生すべきトラックデータが指定されると、システムコントローラ２０は、この指定に従って、このトラックデータの記録位置を示す記録位置情報を取得するように制御信号Ｃ１６をドライバ１６に供給する。
【００６３】
システムコントローラ２０は、信号処理部１５が光ピックアップ１３から出力された光検出信号を変換して生成したデジタルデータをトラック情報又はファイル情報として、この情報をＲＡＭ１９に記憶する。
【００６４】
システムコントローラ２０は、ＲＡＭ１９に記憶したトラック情報又はファイル情報（の記録位置情報）に基づいてトラックデータの記録位置を特定し、特定した記録位置に光ピックアップ１４が移動するように制御信号Ｃ１７をドライバ１７に供給する。
【００６５】
信号処理部１５からデジタルデータが供給されると、システムコントローラ２０は、このデジタルデータを、光ピックアップ１４から出力された光検出信号を変換して生成したデジタルデータとし、さらに、このデジタルデータを、ホスト部２によって指定されたトラックデータとして、このトラックデータをホスト部２に出力する。
【００６６】
ＣＤ１０がＣＤ−ＲＯＭの場合に、ホスト部２から再生対象のファイルデータが指定されると、システムコントローラ２０は、この指定に従って、このファイルデータの記録位置を示すトラック情報（記録位置情報）を取得するように制御信号Ｃ１６をドライバ１６に供給する。
【００６７】
システムコントローラ２０は、信号処理部１５が光ピックアップ１３から出力された光検出信号を変換して生成したデジタルデータをトラック情報として、このトラック情報をＲＡＭ１９に記憶する。
【００６８】
システムコントローラ２０は、ＲＡＭ１９に記憶したファイル情報（記録位置情報）に基づいてファイルデータの記録位置を特定し、特定した記録位置に光ピックアップ１４が移動するように制御信号Ｃ１７をドライバ１７に供給する。
【００６９】
信号処理部１５からデジタルデータが供給されると、システムコントローラ２０は、このデジタルデータを、光ピックアップ１４から出力された光検出信号を変換して生成したデジタルデータとし、さらに、このデジタルデータを、ホスト部２によって指定されたファイルデータとして、このファイルデータをホスト部２に出力する。
【００７０】
ホスト部２は、操作情報に基づいてシステム部１を制御するとともに、システム部１から供給されたトラックデータ又はファイルデータ、文字データを出力するものであり、ＲＡＭ４１と、操作部４２と、スピーカ４３と、表示部４４と、ホスト制御部４５と、を備える。
【００７１】
ＲＡＭ４１は、システム部１のシステムコントローラ２０から供給された情報を記憶するためのものである。
【００７２】
操作部４２は、ユーザが操作したときの操作情報を入力するためのものであり、入力された操作情報をホスト制御部４５に供給する。
【００７３】
スピーカ４３は、音声を出力するものである。スピーカ４３は、ホスト制御部４５からアナログ音声信号が供給され、このアナログ音声信号に従って音声を出力する。
【００７４】
表示部４４は、画像を表示するものである。表示部４４は、ホスト制御部４５から映像データ、トラック情報、ファイル情報が供給され、これらのデータ、情報に基づいて、映像、文字等を表示する。表示部４４は、この映像、文字等を表示するためのディスプレイとして、例えば、液晶ディスプレイ、ＥＬ（Electro-Luminescence）ディスプレイを備える。
【００７５】
ホスト制御部４５は、ホスト部２全体を制御するものであり、ＣＰＵ、ＲＯＭ、ＲＡＭ等を備える（図示せず）。
【００７６】
ホスト制御部４５は、システムコントローラ２０からディスクローディング完了通知が出力されると、操作部４２に入力された操作情報に基づいて、再生、再生停止、ＣＤ１０の取り出し等といった操作制御信号をシステム部１に供給する。
【００７７】
ホスト制御部４５は、システム部１のシステムコントローラ２０から供給されたトラックデータ又はファイルデータ、文字データ等をＲＡＭ４１に記憶する。
【００７８】
ホスト制御部４５は、システム部１のシステムコントローラ２０から供給されたデジタルの音楽データをアナログ音声信号に変換してスピーカ４３に供給する。
【００７９】
ホスト制御部４５は、システムコントローラ２０から供給された文字データを表示部４４に供給する。
【００８０】
次に本実施形態に係る光ディスク再生装置の動作を説明する。
システム部１、ホスト部２は、図４〜１０に示すシーケンスに従って動作する。ユーザが、ＣＤ１０として、ＣＤ−ＤＡをシステム部１に挿入すると、図４に示すように、ディスク挿入検知部１１は、ＣＤ１０が挿入されたことを検知し、システムコントローラ２０は、ディスク挿入検知部１１から検知信号が供給されて、ディスク挿入を判別する（ステップＳ１１）。
【００８１】
システムコントローラ２０は、ディスクローディングが完了すると、ディスクローディングの完了をホスト部２に通知し（ステップＳ１２）、ドライバ１８に制御信号Ｃ１８を供給して、スピンドルモータ１２を回転させる。
【００８２】
システムコントローラ２０は、リードインエリア内（図中、「Read_in_area」と記す。）をサーチさせる制御信号Ｃ１６をドライバ１６に供給する（ステップＳ１３）。
【００８３】
ドライバ１６は、光ピックアップ１３をリードインエリア内まで移動させ、光ピックアップ１３は、リードインエリア内のトラック情報に基づく光検出信号を出力する。
【００８４】
信号処理部１５は、光ピックアップ１３から出力された光検出信号を変換して生成したデジタルデータをシステムコントローラ２０に供給し（ステップＳ１４）、システムコントローラ２０は、ＣＤ１０がＣＤ−ＤＡであることを判別する（ステップＳ１５）。
【００８５】
ホスト制御部４５が先頭トラックデータの再生を要求すると（ステップＳ１６）、システムコントローラ２０は、リードインエリア内をサーチして先頭トラックデータのトラック位置情報を含むトラック情報を取得させる制御信号Ｃ１６をドライバ１６に供給する（ステップＳ１７）。
【００８６】
ドライバ１６は、光ピックアップ１３をリードインエリア内まで移動させ、光ピックアップ１３は、リードインエリア内のトラック情報に基づく光検出信号を出力する。
【００８７】
信号処理部１５は、光ピックアップ１３から出力された光検出信号を変換して生成したデジタルデータをシステムコントローラ２０に供給する（ステップＳ１８）。
【００８８】
システムコントローラ２０は、供給されたデジタルデータをトラック情報として取得し、先頭トラックの記録位置情報を取得する（ステップＳ１９）。
【００８９】
システムコントローラ２０は、取得した記録位置情報に基づいて先頭トラックをサーチさせる制御信号Ｃ１７をドライバ１７に供給する（ステップＳ２０）。
【００９０】
ドライバ１７は、光ピックアップ１４をプログラムエリアの先頭トラックの位置まで移動させ、光ピックアップ１３は、リードインエリア内のトラック情報に基づく光検出信号を出力する。
【００９１】
信号処理部１５は、光ピックアップ１４から出力された光検出信号を変換して生成したデジタルデータをシステムコントローラ２０に供給する（ステップＳ２１）。
【００９２】
システムコントローラ２０は、供給されたデジタルデータを先頭トラックデータとして、この先頭トラックデータを取得する（ステップＳ２２）。
【００９３】
システムコントローラ２０は、この先頭トラックデータをホスト制御部４５に送信する（ステップＳ２３）。
ホスト制御部４５は、この先頭トラックデータをアナログ音声信号に変換してスピーカ４３に供給し、先頭トラックデータの音声を再生出力させる（ステップＳ２４）。
【００９４】
再生中、ユーザが、この先頭トラックデータのトラック情報を表示するように操作部４２を操作すると、操作部４２は、この操作情報をホスト制御部４５に供給する。
【００９５】
ホスト制御部４５は、供給された操作情報を判別して、図５に示すように、このトラック情報をシステムコントローラ２０に要求する（ステップＳ３１）。
【００９６】
システムコントローラ２０は、この要求を受けてリードインエリア内をサーチさせる制御信号Ｃ１６をドライバ１６に供給する（ステップＳ３２）。
【００９７】
ドライバ１６は、光ピックアップ１３をリードインエリア内まで移動させ、光ピックアップ１３は、リードインエリア内の先頭トラックデータのトラック情報に基づく光検出信号を出力する。
【００９８】
信号処理部１５は、光ピックアップ１３から出力された光検出信号を変換して生成したデジタルデータをシステムコントローラ２０に供給する（ステップＳ３３）。
【００９９】
システムコントローラ２０は、このデジタルデータをトラック情報として取得し（ステップＳ３４）、ＲＡＭ１９に保存する（ステップＳ３５）。
【０１００】
システムコントローラ２０は、このトラック情報をホスト制御部４５に送信し（ステップＳ３６）、ホスト制御部４５は、このトラック情報をＲＡＭ４１に保存する（ステップＳ３７）。
【０１０１】
ホスト制御部４５は、表示部４４に、ＲＡＭ４１からこのトラック情報を読み出して、例えば、タイトル、アーティスト名をディスプレイに表示させる（ステップＳ３８）。
【０１０２】
ユーザが、全トラックデータのトラック情報を表示するように操作部４２を操作すると、操作部４２は、この操作情報をホスト制御部４５に供給する。
【０１０３】
ホスト制御部４５は、供給された操作情報を判別して、図６に示すように、全トラック情報をシステムコントローラ２０に要求する（ステップＳ４１）。
【０１０４】
システムコントローラ２０は、この要求を受けてリードインエリア内をサーチさせる制御信号Ｃ１６をドライバ１６に供給する（ステップＳ４２）。
【０１０５】
ドライバ１６は、光ピックアップ１３をリードインエリア内まで移動させ、光ピックアップ１３は、リードインエリア内のトラック情報に基づく光検出信号を出力する。
【０１０６】
信号処理部１５は、光ピックアップ１３から出力された光検出信号を変換して生成したデジタルデータをシステムコントローラ２０に供給する（ステップＳ４３）。
【０１０７】
システムコントローラ２０は、このデジタルデータをトラック情報として取得する（ステップＳ４４）。システムコントローラ２０、信号処理部１５は、このステップＳ４２〜Ｓ４４を繰り返し実行し、再生中のトラックとは異なるトラックのトラック情報を順次取得し、ＲＡＭ１９に保存することにより、すべてのトラック情報を取得する（ステップＳ４５）。
【０１０８】
システムコントローラ２０は、トラック情報を取得する毎に、ホスト制御部４５に送信し（ステップＳ４６）、ホスト制御部４５は、このトラック情報をＲＡＭ４１に保存する（ステップＳ４７）。
【０１０９】
ホスト制御部４５は、表示部４４に、ＲＡＭ４１からこのトラック情報を読み出させて、例えば、タイトル、アーティスト名をディスプレイに表示させる（ステップＳ４８）。
【０１１０】
次に、ユーザが、ＣＤ１０として、ＣＤ−ＲＯＭをシステム部１に挿入すると、図７に示すように、ディスク挿入検知部１１は、ＣＤ１０が挿入されたことを検知し、システムコントローラ２０は、ディスク挿入検知部１１から検知信号が供給されて、ディスク挿入を判別する（ステップＳ５１）。
【０１１１】
システムコントローラ２０は、ディスクローディングが完了すると、ディスクローディングの完了をホスト部２に通知し（ステップＳ５２）、ドライバ１８に駆動信号を供給して、スピンドルモータ１２を回転させる。
【０１１２】
システムコントローラ２０は、ＣＤ１０をＣＤ−ＤＡと仮定して、リードインエリア内をサーチさせる制御信号Ｃ１６をドライバ１６に供給する（ステップＳ５３）。
【０１１３】
ドライバ１６は、光ピックアップ１３をリードインエリアに相当する位置まで移動させ、光ピックアップ１３は、この位置の情報に基づく光検出信号を出力する。
【０１１４】
信号処理部１５は、光ピックアップ１３から出力された光検出信号を変換して生成したデジタルデータをシステムコントローラ２０に供給し（ステップＳ５４）、システムコントローラ２０は、ＣＤ１０がＣＤ−ＲＯＭであることを判別する（ステップＳ５５）。
【０１１５】
ホスト制御部４５が先頭ファイルデータの再生を要求すると（ステップＳ５６）、システムコントローラ２０は、ＣＤ−ＲＯＭのボリューム、ディレクトリ等をサーチして先頭ファイルデータのファイル位置情報を含むファイル情報を取得させる制御信号Ｃ１６をドライバ１６に供給する（ステップＳ５７）。
【０１１６】
ドライバ１６は、光ピックアップ１３をファイル情報の記録位置まで移動させ、光ピックアップ１３は、この記録位置に記録されたファイル情報に基づく光検出信号を出力する。
【０１１７】
信号処理部１５は、光ピックアップ１３から出力された光検出信号を変換して生成したデジタルデータをシステムコントローラ２０に供給する（ステップＳ５８）。
【０１１８】
システムコントローラ２０は、供給されたデジタルデータをファイル情報として取得し、先頭ファイルの記録位置情報を取得する（ステップＳ５９）。
【０１１９】
システムコントローラ２０は、取得した位置情報に基づいて先頭ファイルをサーチさせる制御信号Ｃ１７をドライバ１７に供給する（ステップＳ６０）。
【０１２０】
ドライバ１７は、光ピックアップ１４をファイルデータの記録位置まで移動させ、光ピックアップ１４は、この記録位置に記録されたファイルデータに基づく光検出信号を出力する。
【０１２１】
信号処理部１５は、光ピックアップ１４から出力された光検出信号を変換して生成したデジタルデータをシステムコントローラ２０に供給する（ステップＳ６１）。
【０１２２】
システムコントローラ２０は、供給されたデジタルデータを先頭ファイルデータとして、この先頭ファイルデータを取得する（ステップＳ６２）。
【０１２３】
システムコントローラ２０は、この先頭ファイルデータをホスト制御部４５に送信する（ステップＳ６３）。
【０１２４】
ホスト制御部４５は、この先頭ファイルデータをアナログ音声信号に変換してスピーカ４３に供給し、先頭ファイルデータの音声を再生出力させる。
【０１２５】
一方、ファイルデータが、映像データである場合、ホスト制御部４５は、この映像データをＲＡＭ４１に保存し、表示部４４に、この映像データをＲＡＭ４１から読み出させてディスプレイに表示させる。
【０１２６】
再生中、ユーザが、この先頭ファイルデータのファイル情報を表示するように操作部４２を操作すると、操作部４２は、この操作情報をホスト制御部４５に供給する。
【０１２７】
ホスト制御部４５は、供給された操作情報を判別して、図８に示すように、この先頭ファイルのファイル情報をシステムコントローラ２０に要求する（ステップＳ７１）。
【０１２８】
システムコントローラ２０は、この要求を受けてボリューム、ディレクトリをサーチさせる制御信号Ｃ１６をドライバ１６に供給する（ステップＳ７２）。
【０１２９】
ドライバ１６は、光ピックアップ１３をファイル情報の記録位置まで移動させ、光ピックアップ１３は、この記録位置に記録されたファイル情報に基づく光検出信号を出力する。
【０１３０】
信号処理部１５は、光ピックアップ１３から出力された光検出信号を変換して生成したデジタルデータをシステムコントローラ２０に供給する（ステップＳ７３）。
【０１３１】
システムコントローラ２０は、このデジタルデータを先頭ファイルのファイル情報として取得し（ステップＳ７４）、ＲＡＭ１９に保存する（ステップＳ７５）。
【０１３２】
システムコントローラ２０は、この先頭ファイルのファイル情報をホスト制御部４５に送信し（ステップＳ７６）、ホスト制御部４５は、この先頭ファイルのファイル情報をＲＡＭ４１に保存する（ステップＳ７７）。
【０１３３】
ホスト制御部４５は、表示部４４に、ＲＡＭ４１からこの先頭ファイルのファイル情報を読み出させてディスプレイに表示させる（ステップＳ７８）。
【０１３４】
ユーザが、全ファイルデータのフォルダ／ファイル情報を表示するように操作部４２を操作すると、操作部４２は、この操作情報をホスト制御部４５に供給する。
【０１３５】
ホスト制御部４５は、供給された操作情報を判別して、図９に示すように、全フォルダ／ファイル情報をシステムコントローラ２０に要求する（ステップＳ８１）。
【０１３６】
システムコントローラ２０は、この要求を受けてボリューム、ディレクトリをサーチさせる制御信号Ｃ１６をドライバ１６に供給する（ステップＳ８２）。
【０１３７】
ドライバ１６は、光ピックアップ１３をファイル情報の記録位置まで移動させ、光ピックアップ１３は、この記録位置に記録されたファイル情報に基づく光検出信号を出力する。
【０１３８】
信号処理部１５は、光ピックアップ１３から出力された光検出信号を変換してデジタルデータを生成し、このデジタルデータをシステムコントローラ２０に供給する（ステップＳ８３）。
【０１３９】
システムコントローラ２０は、このデジタルデータをフォルダ／ファイル情報として取得し（ステップＳ８４）、ＲＡＭ１９に保存する（ステップＳ８５）。
【０１４０】
尚、システムコントローラ２０、信号処理部１５は、このステップＳ８２〜Ｓ８５を繰り返し実行し、再生中のファイルデータとは異なるファイルデータのファイル情報を順次取得することにより、全フォルダ／ファイル情報を取得する。
【０１４１】
システムコントローラ２０は、フォルダ／ファイル情報を取得する毎に、ホスト制御部４５に送信し（ステップＳ８６）、ホスト制御部４５は、全フォルダ／ファイル情報をＲＡＭ４１に保存する（ステップＳ８７）。
【０１４２】
ホスト制御部４５は、表示部４４に、全フォルダ／ファイル情報をＲＡＭ４１から読み出させてディスプレイに表示させる（ステップＳ８８）。
【０１４３】
ユーザが、このタグ情報を表示するように操作部４２を操作すると、操作部４２は、この操作情報をホスト制御部４５に供給する。
【０１４４】
ホスト制御部４５は、供給された操作情報を判別して、図１０に示すように、このタグ情報をシステムコントローラ２０に要求する（ステップＳ９１）。
【０１４５】
システムコントローラ２０は、この要求を受けてタグ情報をサーチさせる制御信号Ｃ１６をドライバ１６に供給する（ステップＳ９２）。
【０１４６】
ドライバ１６は、光ピックアップ１３をタグ情報の記録位置まで移動させ、光ピックアップ１３は、この記録位置に記録されたタグ情報に基づく光検出信号を出力する。
【０１４７】
信号処理部１５は、光ピックアップ１３から出力された光検出信号を変換して生成したデジタルデータをシステムコントローラ２０に供給する（ステップＳ９３）。
【０１４８】
システムコントローラ２０は、このデジタルデータをタグ情報として取得し（ステップＳ９４）、ＲＡＭ１９に保存する（ステップＳ９５）。
【０１４９】
システムコントローラ２０は、このタグ情報をホスト制御部４５に送信し（ステップＳ９６）、ホスト制御部４５は、このタグ情報をＲＡＭ４１に保存する（ステップＳ９７）。
【０１５０】
ホスト制御部４５は、表示部４４に、ＲＡＭ４１からこのタグ情報を読み出させてディスプレイに表示させる（ステップＳ９８）。
【０１５１】
以上説明したように、本実施形態によれば、システム部１は、２つの光ピックアップ１３，１４を備え、システムコントローラ２０は、光ピックアップ１４を用いて音楽／映像データといった主データを読み取っているときに、ＣＤ１０から、トラック情報、ファイル情報、タグ情報を読み取るように光ピックアップ１３を制御するようにした。
【０１５２】
従って、光ピックアップ１４にて通常再生を行い、光ピックアップ１３を独立して動作させることができる。
【０１５３】
また、ＣＤ１０がＣＤ−ＤＡの場合、ＲＡＭ１９の容量を増やすことなく、トラックデータの再生中に、タイトル、アーティスト名のトラック情報を表示させることができる。
【０１５４】
また、トラック情報は、そのトラックデータの再生を開始した後に取得すればよいので、ディスク解析開始から再生開始するまでの時間を短縮することができる。
【０１５５】
また、ＣＤ１０がＣＤ−ＲＯＭの場合、データ再生中のファイルを含むフォルダ以外のフォルダ／ファイル名も取得でき、ファイルデータの再生中であっても、その他のファイルを解析できる。このため、ＲＡＭ１９の容量を増やすことなく、タグ情報を取得することができ、再生していないファイルのタグ情報を取得することもできる。
【０１５６】
また、読み込みに時間を要するフォルダ数／ファイル数の多いディスクの場合でも、データを再生しながらディスク解析をする事ができるのでディスク解析開始から再生開始するまでの時間を短縮することができる。
【０１５７】
また、従来の光ディスク再生装置では、認識可能なフォルダ数／ファイル数に制限があったため、ディスク上に再生不可能なファイルが存在していた。しかし、本実施形態によれば、ＣＤ１０のファイル構造の情報を全てＲＡＭ１９に保持しておく必要がなくなり、ＲＡＭ１９の容量を低減でき、ＣＤ１０に存在する全てのファイルを再生することができる。
【０１５８】
尚、本発明を実施するにあたっては、種々の形態が考えられ、上記実施形態に限られるものではない。
例えば、上記実施形態では、ＣＤ１０を、図２に示すようなシングルセッションのＣＤ−ＤＡとして説明した。しかし、ＣＤ１０は、これに限られるものではなく、マルチセッションのＣＤ−Ｒであってもよい。
【０１５９】
また、光ディスクは、ＣＤに限られるものではなく、例えば、ＭＤ，ＤＶＤ，ＭＯであってもよい。
【０１６０】
上記実施形態では、光ディスク再生装置は、システム部１とホスト部２とが分離して構成されるものとして説明した。しかし、光ディスク再生装置は、このシステム部１とホスト部２とが一体として構成されたものであってもよい。
【０１６１】
また、上記実施形態では、プログラムが、それぞれメモリ等に予め記憶されているものとして説明した。しかし、光ディスク再生装置を、装置の全部又は一部として動作させ、あるいは、上述の処理を実行させるためのプログラムを、フレキシブルディスク、ＣＤ−ＲＯＭ（Compact Disk Read-Only Memory）、ＤＶＤ（Digital Versatile Disk）、ＭＯ（Magneto Optical disk）などのコンピュータ読み取り可能な記録媒体に格納して配布し、これを別のコンピュータにインストールし、上述の手段として動作させ、あるいは、上述の工程を実行させてもよい。
【０１６２】
さらに、インターネット上のサーバ装置が有するディスク装置等にプログラムを格納しておき、例えば、搬送波に重畳させて、コンピュータにダウンロード等するものとしてもよい。
【符号の説明】
【０１６３】
１  システム部
２  ホスト部
１０  ＣＤ
１２  スピンドルモータ
１３，１４  光ピックアップ
１６，１７，１８  ドライバ
１９，４１  ＲＡＭ
２０  システムコントローラ
４３  スピーカ
４４  表示部
【図１】
2011008853.tif 000003
【図２】
2011008853.tif 000004
【図３】
2011008853.tif 000005
【図４】
2011008853.tif 000006
【図５】
2011008853.tif 000007
【図６】
2011008853.tif 000008
【図７】
2011008853.tif 000009
【図８】
2011008853.tif 000010
【図９】
2011008853.tif 000011
【図１０】
2011008853.tif 000012